(57)【要約】【課題】通常時にスカート等、表布地の内側に配置される裏布地において、形態を変更した状態での使用を可能にしながら、自転車の運転時等に運転動作等を阻害せず、運転等時以外のときにも透け防止の機能を持たせる。【解決手段】使用時に上下が開放した筒形の形状をし、中心に関して対向する位置に下端から、上端に至るまでの中途までにスリット３が入れられ、スリット３を挟んで２枚の布要素２、２が形成された裏布地１において、各布要素２の幅方向の両側位置に、互いに分離自在に連結可能な連結部６、７を前記スリット３に沿って形成する。【選択図】図１
2007039860.tif 000002
【特許請求の範囲】
【請求項１】
使用時に上下が開放した筒形の形状をし、中心に関して対向する位置に下端から、上端に至るまでの中途までにスリットが入れられ、スリットを挟んで２枚の布要素が形成された裏布地において、前記各布要素の幅方向の両側位置に、互いに分離自在に連結可能な連結部が前記スリットに沿って形成されていることを特徴とする形態変更型裏布地。
【請求項２】
前記連結部はスリットを挟んで対向する側の布要素の連結部に対しても分離自在に連結可能であることを特徴とする請求項１に記載の形態変更型裏布地。
【請求項３】
前記各布要素の下端位置に、その幅方向に紐が挿通していることを特徴とする請求項１、もしくは請求項２に記載の形態変更型裏布地。
【請求項４】
上端位置に、周方向にゴムが挿通している、または縫い込まれていることを特徴とする請求項１乃至請求項３のいずれかに記載の形態変更型裏布地。
【発明の詳細な説明】
【技術分野】
【０００１】
本発明は例えば通常時にスカートの裏布地として使用され、自転車の運転時等にキュロットタイプに変更可能な形態変更型裏布地に関するものである。
【背景技術】
【０００２】
例えばスカートを着用する際にはスカートの表布地を直接身に着けることによる肌触りの感触を緩和し、また外部から透けることを防止する等の目的で、表布地には裏布地が組み合わせられることが多い。裏布地は自転車を運転するときのように脚部の自由な運動を阻害しないよう、両側にスリットが入れられるが、スリットの形成によって運転時や階段の上昇時等にスカートの内部が露出する可能性がある。
【０００３】
そのような場合に備え、スカートにその一定以上の開きを防止するための部品を付ける方法があるが（特許文献１、２参照）、前者の、裾を脚部に固定する方法では運転中に脚部を痛める可能性があり、後者の、布を腰と自転車のフレームとの間に掛け渡す方法では運転動作を阻害する危険性がある。
【０００４】
これに対し、スカートの裏布地として前後２枚の布地を表布地に取り付け（縫い合わせ）、その２枚の布地を股の部分で分離自在に連結することにより裏布地をキュロット形式に組み合わせる方法がある（特許文献３参照）。
【０００５】
【特許文献１】特開平７−３３１５１８号公報（請求項１、２、段落０００６、図３、図４）
【特許文献２】特許１０−３２９７１４号公報（請求項１、段落０００５、図１、図２）
【特許文献３】特開２００３−１６６１０４号公報（段落０００２〜０００４、図１、図２）
【発明の開示】
【発明が解決しようとする課題】
【０００６】
特許文献３の方法によれば、前記のような不都合はないと考えられるが、２枚の布地を連結した状態が平常時の形であるから、自転車の運転時等以外のときにもキュロットの形態に変更がなく、使用形態が限られている。また開放感を得るために、あるいは通気を確保するために連結を解除したときに、身体前後方向の中心位置で、脚部の内側が自由に開放可能になり、翻り得るため、透け防止の機能が失われる可能性がある。
【０００７】
本発明は上記背景より、形態を変更した状態での使用が可能でありながら、自転車の運転時等に運転動作等を阻害せず、運転等時以外のときにも透け防止の機能を維持する形態変更型裏布地を提案するものである。
【課題を解決するための手段】
【０００８】
請求項１に記載の発明の形態変更型裏布地は、使用時に上下が開放した筒形の形状をし、中心に関して対向する位置に下端から、上端に至るまでの中途までにスリットが入れられ、スリットを挟んで２枚の布要素が形成された裏布地において、前記各布要素の幅方向の両側位置に互いに分離自在に連結可能な連結部が前記スリットに沿って形成されていることを構成要件とする。中心とは、筒形の軸方向の中心を言い、幅方向とは筒形の周方向を言う。
【０００９】
スリットの形成により、裏布地はスリットの形成区間より上の区間においては筒状に、周方向に連続しながら、スリットの形成区間においては２枚の布要素に分割された形になる。連結部はこの各布要素に付き、両側位置に形成され、その両側位置の連結部が互いに分離自在に連結可能とされる。
【００１０】
自転車の運転時や階段の上昇時等にはスリットの形成位置を身体の前後に向け、各布要素が各脚部の外側に位置するように裏布地の向きを調整した状態で、各布要素の両側の連結部を互いに連結することで、各布要素が各脚部を包囲するように脚部の回りに巻き付けられる。各布要素が脚部の回りに巻き付けられる状態になることで、自転車の運転時等に裏布地の内部が露出する事態は回避される。また各布要素は各脚部を包囲するだけであるから、脚部の動作を阻害することはない。
【００１１】
自転車の運転時等以外のときには、連結部の連結を分離させて布要素が脚部を巻き付けている状態を解除し、スリットの形成位置を身体の両脇に向けることにより、裏布地が通常の使用状態になるため、裏布地本来の透け防止の機能が生かされる。
【００１２】
このように自転車の運転時等には布要素を脚部に巻き付けたキュロット形式の状態になり、それ以外のときには巻き付け状態の解除によりスリットを身体の両側に向けた通常使用の状態になるため、１枚の裏布地でありながら、状況に応じて２通りの使用形態が選択可能になる。
【００１３】
スリットを身体の両側に向けた状態のとき、２枚の布要素はスリットの位置で分離した状態になるが、請求項２に記載のように連結部をスリットを挟んで対向する側の布要素の連結部に対しても分離自在に連結可能にすれば、スリットを身体の両側に向けた状態において、更に対向する布要素の連結部を互いに連結するか否か、の使い分けが可能になる。
【００１４】
例えばスリットを閉じたときに窮屈な感覚があれば、連結部を連結することなく、布要素を分離させておけばよく、分離させたままでは不安があれば、連結部を連結し、スリットの開きを抑えればよい。請求項２の場合は、各布要素の両側位置の連結部が互いに分離自在に連結可能であり、且つ対向する布要素の、スリットを挟んだ位置の連結部とも分離自在に連結可能とされる。
【００１５】
スリットの開きは請求項３に記載のように各布要素の下端位置に、その幅方向に紐を挿通させておき、その紐の両端を連結することによっても抑えられる。この場合、対向する布要素の各連結部を連結せずに紐を連結すれば、裏布地の下端が閉じるため、スリットの開きを抑制しながらスリットを通じての通気を確保することが可能になる。
【００１６】
裏布地はまた、その不使用時に各布要素の連結部を対向する布要素の連結部と連結することにより、例えば裏布地と対になるスカートの表布地等をハンガーに掛けておくときのカバーとして、あるいは収納袋として使用することも可能である。ハンガーによって吊り下げられた状態で使用されるときには、裏布地の下端が下を向いた状態になるため、連結部を連結するのみでスカート等を埃から保護することができるが、収納袋として使用されるときには裏布地の下端が下を向くとは限らないため、下端からの埃の浸入を阻止するために請求項３に記載の紐の両端を結ぶことも行われる。
【００１７】
裏布地は着用されたときにずり落ちないようにする上では、例えば請求項４に記載のように上端位置に、周方向にゴムが挿通するか、または縫い込まれる。この場合、不使用時に裏布地の上端がすぼまり、その開放面積が小さくなるため、カバーや収納袋として使用されるときに、内部を埃から保護する効果が上がる利点もある。
【発明の効果】
【００１８】
中心に関して対向する位置にスリットを有し、スリットを挟んで２枚の布要素を持つ裏布地において、各布要素の幅方向両側位置に互いに分離自在に連結可能な連結部を形成することで、自転車の運転時等に布要素を脚部の回りに巻き付けた状態にすることができるため、脚部の動作を阻害することなく、裏布地の内部が露出する事態を回避することができる。自転車の運転時等以外のときには、連結部の連結を分離させることで、裏布地を通常の使用状態にすることができるため、裏布地本来の透け防止の機能を維持することができる。
【００１９】
また自転車の運転時等にはキュロット形式の状態になり、それ以外のときにはスリットを身体の両側に向けた通常使用の状態になるため、１枚の裏布地でありながら、２通りの使用形態を選択することができる。
【発明を実施するための最良の形態】
【００２０】
以下、図面を用いて本発明を実施するための最良の形態を説明する。
【００２１】
本発明は図１−（ａ）に示すように使用時に上下が開放した筒形の形状をし、その中心に関して対向する位置に下端から、上端に至るまでの中途までにスリット３が入れられ、スリット３を挟んで２枚の布要素２、２が形成された裏布地において、各布要素２の幅（周）方向の両側位置に、互いに分離自在に連結可能な連結部６、７がスリット３に沿って形成された形態変更型裏布地（以下、裏布地と言う）１である。
【００２２】
裏布地１は例えば２枚の布要素２、２を重ね合わせた状態で、幅方向両側を上端から下端に至るまでの中途まで縫い合わせることにより製作される。図１−（ａ）中、４は縫い合わせたときの縫い目を、５はその下端部（縫い留め）を示す。スリット３は縫い目の端部５の下に形成される。
【００２３】
裏布地１は２枚の布要素２、２が巻かれ、キュロットタイプに変更された状態で使用されることから、変更されたときに脚部が窮屈にならないよう、図１−（ａ）に示す裏布地１の両側の端部５、５を結ぶ、破線で示す直線の長さは（ｂ）に示すスカートの表布地９の同一位置を結ぶ直線の長さより７〜１０ｃｍ前後程度大きく取られる。裏布地１の高さは表布地９からの露出を避けるために、表布地９の高さ（丈）より２〜３ｃｍ程度短く設定される。
【００２４】
裏布地１は主に図１−（ｂ）に示すスカートの表布地９と組み合わせられ、その表布地９の内側に配置された状態で使用されるが、図３に示すようにキュロットタイプに変更しての使用が可能であるため、キュロットスカート、スラックス等のパンツ等、スカート以外の表布地９との組み合わせも自由である。
【００２５】
連結部６、７はスリット３に沿って連続的に、または図示するように断続的に形成される。連結部６、７は互いに分離自在に連結可能であれば、その形態は問われないが、連結時と分離時の作業性の面からは主として、対向する向きに凸部（ループ）と凹部（フック）が互いに嵌まり合うことにより連結状態となり、逆向きに引っ張られることにより分離状態となる面状ファスナー（面状テープ）の他、フックやホック、ボタンとボタンホール等が使用され、布要素２に対しては例えば貼付されることにより、または縫い付けられることにより取り付けられる。
【００２６】
図１−（ａ）に示す裏布地１の各布要素２の両側に取り付けられている連結部６、７の内、一方が相対的に凸部を有する連結部６、他方が相対的に凹部を有する連結部７であり、互いに分離自在に連結される。図１−（ａ）では図３に示すように布要素２を筒形にしたときにその両側が互いに重なって連結されるよう、凸部を有する連結部６を布要素２の内側（裏側）に配置し、凹部を有する連結部７を布要素２の外側（表側）に配置しているが、必ずしもその必要はなく、共に内側に配置する場合や外側に配置する場合もある。
【００２７】
連結部６、７は各布要素２の両側に取り付けられて形成されることで、スリット３を挟んでも対向して配置される形になる。このとき、各布要素２に付き、図１−（ａ）に示すように連結部６と連結部７を裏布地１の中心に関して対称位置に配置すれば、図２に示すように各布要素２の連結部６と連結部７はスリット３を挟んで対向する側の布要素２の連結部７と連結部６に対しても分離自在に連結可能となる。スリット３を挟んで対向する連結部６と連結部７が互いに連結されたときに、スリット３が閉じることになる。図示するように連結部６、７が断続的に配置された場合にはスリット３において部分的に通気が確保され、連続的に配置された場合にはスリット３が完全に閉じる。図２は裏布地１の通常の使用状態においてスリット３を閉じた場合、または裾を閉じた場合を示す。
【００２８】
各布要素２の下端位置には、連結部６と連結部７の連結によりスリット３を閉じることをしなくても、下端部を閉じることができるよう、図１−（ａ）に示すように幅方向に紐８が挿通し、互いに連結されるためにその両端が布要素２から突出する。また裏布地１の上端位置には裏布地１が着用されたときにずり落ちないよう、周方向にゴムが挿通するか、または縫い込まれている。各図中、裏布地１の上端の皺はゴムが挿通等している様子を示している。
【００２９】
図３は自転車の運転時や階段の上昇時等に備え、スリット３の形成位置、すなわち縫い目４を身体の前後に向け、各布要素２が各脚部の外側に位置するように裏布地１の向きを調整し、前記のように各布要素２の両側の連結部６、７を互いに連結することにより裏布地１をキュロット形式に変更して使用するときの様子を示す。
【００３０】
この場合、各布要素２が脚部の回りに巻き付けられた状態になるため、裏布地１の内部は外部から完全に隠蔽される。また裏布地１の丈（高さ）が、その下端が膝上に留まる程度の大きさであれば、自転車の運転時や階段の上昇時等に布要素２が脚部の動作を阻害することはないため、脚部の回りに巻き付けられても支障なく膝を上げ下げする動作をすることができる。
【００３１】
図４は裏布地１を、不使用時の表布地９等を埃等から保護するためのカバーとして使用しているときの様子を示す。この場合、対向する布要素２、２は連結部６、７において互いに連結されることにより、または紐８が結ばれることによりカバーとしての裏布地１が形成される。裏布地１は表布地９等が掛けられたハンガー１０に対し、上方から落とし込まれ、上端がハンガー１０に係止することによりハンガー１０毎、表布地９を包囲する。ハンガー１０には表布地９以外の衣類１１等が掛けられることもある。
【００３２】
図５は裏布地１を、表布地９その他の衣類１１等を不使用期間中に収納しておくための収納袋として使用しているときの様子を示す。この場合、裏布地１は寝かせられた状態になることから、対向する布要素２、２は連結部６、７において互いに連結され、必要により紐８が結ばれる。
【図面の簡単な説明】
【００３３】
【図１】（ａ）は本発明の形態変更型裏布地の形成例を示した斜視図、（ｂ）は（ａ）の裏布地と組み合わせられる表布地を示した斜視図である。
【図２】図１−（ａ）に示す形態変更型裏布地の対向する布要素を互いに連結したときの様子を示した側面図である。
【図３】図１−（ａ）に示す形態変更型裏布地の各布要素をその両側において連結したときの様子を示した斜視図である。
【図４】形態変更型裏布地をカバーとして使用したときの様子を示した斜視図である。
【図５】形態変更型裏布地を収納袋として使用したときの様子を示した斜視図である。
【符号の説明】
【００３４】
１………形態変更型裏布地
２………布要素
３………スリット
４………縫い目
５………縫い目の端部（縫い留め）
６………連結部
７………連結部
８………紐
９………表布地
１０……ハンガー
１１……衣類
【図１】
2007039860.tif 000003
【図２】
2007039860.tif 000004
【図３】
2007039860.tif 000005
【図４】
2007039860.tif 000006
【図５】
2007039860.tif 000007
【手続補正書】
【提出日】平成18年7月3日(2006.7.3)
【手続補正１】
【補正対象書類名】特許請求の範囲
【補正対象項目名】全文
【補正方法】変更
【補正の内容】
【特許請求の範囲】
【請求項１】
表布地と組み合わせられ、その表布地の内側に配置された状態で使用される表布地付き裏布地であり、
前記裏布地は使用時に上下が開放した筒形の形状をし、中心に関して対向する位置に下端から、上端に至るまでの中途までにスリットが入れられ、スリットを挟んで２枚の布要素が形成され、前記各布要素の幅方向の両側位置に、互いに分離自在に連結可能な連結部が前記スリットに沿って形成され、
前記スリットの形成区間より上の区間においては筒状に、周方向に連続し、前記スリットの形成区間においては２枚の前記布要素に分割された形をし、
前記スリットに沿った連結部の内、一方の連結部と他方の連結部は前記各布要素単位で互いに分離自在に連結可能で、且つスリットを挟んで対向する側の布要素の連結部に対しても分離自在に連結可能であり、
前記スリットの上端位置を結ぶ直線の長さは前記表布地の同一位置を結ぶ直線の長さより７〜１０ｃｍ前後程度大きいことを特徴とする形態変更型表布地付き裏布地。
【請求項２】
前記一方の連結部は凸部を有し、前記２枚の布要素の内の一方の布要素の内側に位置し、前記他方の連結部は凹部を有し、他方の布要素の外側に位置していることを特徴とする請求項１に記載の形態変更型表布地付き裏布地。
【請求項３】
前記各布要素の下端位置に、その幅方向に紐が挿通していることを特徴とする請求項１、もしくは請求項２に記載の形態変更型表布地付き裏布地。
【請求項４】
上端位置に、周方向にゴムが挿通している、または縫い込まれていることを特徴とする請求項１乃至請求項３のいずれかに記載の形態変更型表布地付き裏布地。
【手続補正３】
【補正対象書類名】明細書
【補正対象項目名】０００１
【補正方法】変更
【補正の内容】
【０００１】
本発明は例えば通常時にスカートの裏布地として使用され、自転車の運転時等にキュロットタイプに変更可能な形態変更型表布地付き裏布地に関するものである。
【手続補正４】
【補正対象書類名】明細書
【補正対象項目名】０００７
【補正方法】変更
【補正の内容】
【０００７】
本発明は上記背景より、形態を変更した状態での使用が可能でありながら、自転車の運転時等に運転動作等を阻害せず、運転等時以外のときにも透け防止の機能を維持する形態変更型表布地付き裏布地を提案するものである。
【手続補正５】
【補正対象書類名】明細書
【補正対象項目名】０００８
【補正方法】変更
【補正の内容】
【０００８】
請求項１に記載の発明の形態変更型表布地付き裏布地は、表布地と組み合わせられ、その表布地の内側に配置された状態で使用される表布地付き裏布地において、
前記裏布地が使用時に上下が開放した筒形の形状をし、中心に関して対向する位置に下端から、上端に至るまでの中途までにスリットが入れられ、スリットを挟んで２枚の布要素が形成され、前記各布要素の幅方向の両側位置に、互いに分離自在に連結可能な連結部が前記スリットに沿って形成され、
前記スリットの形成区間より上の区間においては筒状に、周方向に連続し、前記スリットの形成区間においては２枚の前記布要素に分割された形をし、
前記スリットに沿った連結部の内、一方の連結部と他方の連結部は前記各布要素単位で互いに分離自在に連結可能で、且つスリットを挟んで対向する側の布要素の連結部に対しても分離自在に連結可能であり、
前記スリットの上端位置を結ぶ直線の長さが前記表布地の同一位置を結ぶ直線の長さより７〜１０ｃｍ前後程度大きいこと構成要件とする。上記中心とは、筒形の軸方向の中心を言い、幅方向とは筒形の周方向を言う。
【手続補正６】
【補正対象書類名】明細書
【補正対象項目名】００２１
【補正方法】変更
【補正の内容】
【００２１】
本発明は図１−（ａ）に示すように表布地と組み合わせられ、その表布地の内側に配置された状態で使用される表布地付き裏布地において、使用時に上下が開放した筒形の形状をし、その中心に関して対向する位置に下端から、上端に至るまでの中途までにスリット３が入れられ、スリット３を挟んで２枚の布要素２、２が形成され、各布要素２の幅（周）方向の両側位置に、互いに分離自在に連結可能な連結部６、７がスリット３に沿って形成された形態変更型表布地付き裏布地（以下、裏布地と言う）１である。
【手続補正７】
【補正対象書類名】明細書
【補正対象項目名】００２４
【補正方法】変更
【補正の内容】
【００２４】
裏布地１は図１−（ｂ）に示すスカートの表布地９と組み合わせられ、その表布地９の内側に配置された状態で使用されるが、図３に示すようにキュロットタイプに変更しての使用が可能であるため、キュロットスカート、スラックス等のパンツ等、スカート以外の表布地９との組み合わせも自由である。
【手続補正書】
【提出日】平成18年9月27日(2006.9.27)
【手続補正１】
【補正対象書類名】特許請求の範囲
【補正対象項目名】全文
【補正方法】変更
【補正の内容】
【特許請求の範囲】
【請求項１】
表布地と組み合わせられ、その表布地の内側に配置された状態で使用される表布地付き裏布地であり、
前記裏布地は使用時に上下が開放した筒形の形状をし、中心に関して対向する位置に下端から、上端に至るまでの中途までにスリットが入れられ、スリットを挟んで２枚の布要素が形成され、前記各布要素の幅方向の両側位置に、互いに分離自在に連結可能な連結部が前記スリットに沿って形成され、
前記スリットの形成区間より上の区間においては筒状に、周方向に連続し、前記スリットの形成区間においては２枚の前記布要素に分割された形をし、
前記スリットに沿った連結部の内、一方の連結部と他方の連結部は前記各布要素単位で互いに分離自在に連結可能で、且つスリットを挟んで対向する側の布要素の連結部に対しても分離自在に連結可能であり、
前記スリットの上端位置を結ぶ直線の長さは前記表布地の同一位置を結ぶ直線の長さより７〜１０ｃｍ前後程度大きく、
前記裏布地の上端位置に、周方向にゴムが挿通している、または縫い込まれており、
前記裏布地はその不使用時に、前記対向する布要素の前記連結部が互いに連結された状態で、前記表布地が掛けられたハンガーに対し、上方から落とし込まれ、前記上端において前記ハンガーに係止することにより前記ハンガー毎、前記表布地を包囲し、不使用時の前記表布地を保護するためのカバーとして使用されることを特徴とする形態変更型表布地付き裏布地。
【請求項２】
表布地と組み合わせられ、その表布地の内側に配置された状態で使用される表布地付き裏布地であり、
前記裏布地は使用時に上下が開放した筒形の形状をし、中心に関して対向する位置に下端から、上端に至るまでの中途までにスリットが入れられ、スリットを挟んで２枚の布要素が形成され、前記各布要素の幅方向の両側位置に、互いに分離自在に連結可能な連結部が前記スリットに沿って形成され、
前記スリットの形成区間より上の区間においては筒状に、周方向に連続し、前記スリットの形成区間においては２枚の前記布要素に分割された形をし、
前記スリットに沿った連結部の内、一方の連結部と他方の連結部は前記各布要素単位で互いに分離自在に連結可能で、且つスリットを挟んで対向する側の布要素の連結部に対しても分離自在に連結可能であり、
前記スリットの上端位置を結ぶ直線の長さは前記表布地の同一位置を結ぶ直線の長さより７〜１０ｃｍ前後程度大きく、
前記裏布地の上端位置に、周方向にゴムが挿通している、または縫い込まれ、
前記各布要素の下端位置に、その幅方向に紐が挿通しており、
前記裏布地はその不使用時に、前記対向する布要素の前記紐が互いに結ばれた状態で、前記表布地が掛けられたハンガーに対し、上方から落とし込まれ、前記上端において前記ハンガーに係止することにより前記ハンガー毎、前記表布地を包囲し、不使用時の前記表布地を保護するためのカバーとして使用されることを特徴とする形態変更型表布地付き裏布地。
【請求項３】
前記一方の連結部は凸部を有し、前記２枚の布要素の内の一方の布要素の内側に位置し、前記他方の連結部は凹部を有し、他方の布要素の外側に位置していることを特徴とする請求項１、もしくは請求項２に記載の形態変更型表布地付き裏布地。
【手続補正２】
【補正対象書類名】明細書
【補正対象項目名】０００８
【補正方法】変更
【補正の内容】
【０００８】
請求項１に記載の発明の形態変更型表布地付き裏布地は、表布地と組み合わせられ、その表布地の内側に配置された状態で使用される表布地付き裏布地において、
前記裏布地が使用時に上下が開放した筒形の形状をし、中心に関して対向する位置に下端から、上端に至るまでの中途までにスリットが入れられ、スリットを挟んで２枚の布要素が形成され、前記各布要素の幅方向の両側位置に、互いに分離自在に連結可能な連結部が前記スリットに沿って形成され、
前記スリットの形成区間より上の区間においては筒状に、周方向に連続し、前記スリットの形成区間においては２枚の前記布要素に分割された形をし、
前記スリットに沿った連結部の内、一方の連結部と他方の連結部は前記各布要素単位で互いに分離自在に連結可能で、且つスリットを挟んで対向する側の布要素の連結部に対しても分離自在に連結可能であり、
前記スリットの上端位置を結ぶ直線の長さが前記表布地の同一位置を結ぶ直線の長さより７〜１０ｃｍ前後程度大きく、
前記裏布地の上端位置に、周方向にゴムが挿通している、または縫い込まれており、
前記裏布地がその不使用時に、前記対向する布要素の前記連結部が互いに連結された状態で、前記表布地が掛けられたハンガーに対し、上方から落とし込まれ、前記上端において前記ハンガーに係止することにより前記ハンガー毎、前記表布地を包囲し、不使用時の前記表布地を保護するためのカバーとして使用されることを構成要件とする。上記中心とは、筒形の軸方向の中心を言い、幅方向とは筒形の周方向を言う。
請求項２に記載の発明の形態変更型表布地付き裏布地は、
前記各布要素の下端位置に、その幅方向に紐が挿通しており、
前記裏布地がその不使用時に、前記対向する布要素の前記紐が互いに結ばれた状態で、前記表布地が掛けられたハンガーに対し、上方から落とし込まれ、前記上端において前記ハンガーに係止することにより前記ハンガー毎、前記表布地を包囲し、不使用時の前記表布地を保護するためのカバーとして使用されることを特徴とする。
【手続補正３】
【補正対象書類名】明細書
【補正対象項目名】００１３
【補正方法】変更
【補正の内容】
【００１３】
スリットを身体の両側に向けた状態のとき、２枚の布要素はスリットの位置で分離した状態になるが、連結部をスリットを挟んで対向する側の布要素の連結部に対しても分離自在に連結可能にすることで、スリットを身体の両側に向けた状態において、更に対向する布要素の連結部を互いに連結するか否か、の使い分けが可能になる。
【手続補正４】
【補正対象書類名】明細書
【補正対象項目名】００１４
【補正方法】変更
【補正の内容】
【００１４】
請求項１では各布要素の両側位置の連結部が互いに分離自在に連結可能であり、且つ対向する布要素の、スリットを挟んだ位置の連結部とも分離自在に連結可能であるから、例えばスリットを閉じたときに窮屈な感覚があれば、連結部を連結することなく、布要素を分離させておけばよい。分離させたままでは不安があれば、連結部を連結し、スリットの開きを抑えればよい。
【手続補正５】
【補正対象書類名】明細書
【補正対象項目名】００１５
【補正方法】変更
【補正の内容】
【００１５】
裏布地は着用されたときにずり落ちないようにする上で、前記の通り、裏布地の上端位置に、周方向にゴムが挿通するか、または縫い込まれる。この場合、不使用時に裏布地の上端がすぼまり、その開放面積が小さくなるため、カバーや収納袋として使用されるときに、内部を埃から保護する効果が上がる利点がある。
【手続補正６】
【補正対象書類名】明細書
【補正対象項目名】００１６
【補正方法】変更
【補正の内容】
【００１６】
スリットの開きは請求項２に記載のように各布要素の下端位置に、その幅方向に紐を挿通させておき、その紐の両端を連結することによっても抑えられる。この場合、対向する布要素の各連結部を連結せずに紐を連結すれば、裏布地の下端が閉じるため、スリットの開きを抑制しながらスリットを通じての通気を確保することが可能になる。
【手続補正７】
【補正対象書類名】明細書
【補正対象項目名】００１７
【補正方法】変更
【補正の内容】
【００１７】
裏布地はまた、その不使用時に各布要素の連結部を対向する布要素の連結部と連結することにより、例えば裏布地と対になるスカートの表布地等をハンガーに掛けておくときのカバーとして、あるいは収納袋として使用することも可能である。ハンガーによって吊り下げられた状態で使用されるときには、裏布地の下端が下を向いた状態になるため、連結部を連結するのみでスカート等を埃から保護することができるが、収納袋として使用されるときには裏布地の下端が下を向くとは限らないため、下端からの埃の浸入を阻止するために請求項２に記載の紐の両端を結ぶことも行われる。